(57)【要約】【目的】初心者でも容易に素早く組み立て作業が行なえコストを安くすることが出来るようなマッサージ器とその部品の提供。【構成】複数枚の回転板の各々相対する面にボールの球面と接触してボールを受け得る凹部が、回転板の外周部に沿って、且つ回転板の外周部よりも外側にボールの外周部が出るように形成されたボール取付体。またこのボール取付体の凹部に前記ボールをはめ込んだ回転体。またこの回転体をモータの回転軸に取り付けたマッサージ器具。【選択図】      図１
2004329834.tif 000002
【特許請求の範囲】
【請求項１】
複数枚の回転板の各々相対する面にボールの球面と接触してボールを受け得る凹部が、回転板の外周部に沿って且つ回転板の外周部よりも外側にボールの外周部が出るように形成されていることを特徴とする、ボール取付体。
【請求項２】
前記凹部の半分未満の部位が前記回転板の外周部に掛かっている、請求項１に記載のボール取付体。
【請求項３】
複数枚の回転板の各々相対する面にボールの球面と接触してボールを受け得る凹部が、回転板の外周部に沿って且つ回転板の外周部よりも外側にボールの外周部が出るように形成されており、この凹部に前記ボールをはめ込んで成ることを特徴とする、ボール取付体を有する回転体。
【請求項４】
前記凹部の半分未満の部位が前記回転板の外周部に掛かっている、請求項３に記載のボール取付体を有する回転体。
【請求項５】
複数枚の回転板の各々相対する面にボールの球面と接触してボールを受け得る凹部が、回転板の外周部に沿って且つ回転板の外周部よりも外側にボールの外周部が出るように形成されており、この凹部に前記ボールをはめ込んで成る回転体が、モータの回転軸に取り付けられていることを特徴とする、回転体を備えたマッサージ器具。
【請求項６】
前記凹部の半分未満の部位が前記回転板の外周部に掛かっている、請求項５に記載の回転体を備えたマッサージ器具。
【請求項７】
前記回転板が前記回転軸に対して非直角に取り付けられている、請求項５に記載の回転体を備えたマッサージ器具。
【請求項８】
前記回転体に柔軟な素材から成るカバーが掛けられている、請求項５に記載の回転体を備えたマッサージ器具。
【請求項９】
前記カバーの前記回転体に接触する部位が透明な素材で構成されている、請求項５に記載の回転体を備えたマッサージ器具。
【請求項１０】
このマッサージ器にバイブレータが設けられている、請求項５に記載の回転体を備えたマッサージ器具。
【発明の詳細な説明】
【０００１】
【発明の属する技術分野】
この発明は公転運動を行ないつつ自転運動を行なうボールによって身体を擦るためのマッサージ器とその部品に関するものである。なおボールの組み込みが容易であり、ボールの自転運動に軸が存在しない点に特徴を有する。
【０００２】
【従来の技術】
図１１で示したものは、図示しないモータの回転軸２１に取り付けられた複数枚の円板８の各々相対する面に軸受けの凹部８０が形成されており、この凹部にボール９をこのボール９の回転軸９０をはめ込むようにして、ボール９を円板８で挟み付けて成るものである。
【０００３】
そしてモータをＯＮ状態にすることによって円板８ごとボール９を公転運動させ、このボール９を身体所要部に当てるようにしてマッサージを行なうものである。この際にボール９自体が回転軸９０を中心として自転運動を行ない、身体に心地良いマッサージ刺激を与えることが出来る。
【０００４】
【発明が解決しようとする課題】
しかしながら上述したマッサージ器具では、複数枚の円板８の間にボール９を挟み付ける作業が大変であると言う問題がある。図１１からもその作業の大変さを伺い知ることが出来るが、モータの回転軸２１に最初の円板８を固定し、この円板８の凹部８０（軸受けである）にボール９の一側の回転軸９０を差し入れるようにして複数個のボール９をセットし、次の円板８を回転軸２１に通しつつ、この円板８の凹部８０にボール９の他側の回転軸９０を差し入れるようにして、すべてのボール９をセットして円板８を回転軸２１に固定し、この一連の作業を必要な円板８の段数だけ繰り返さなくてはならないのである。
【０００５】
この作業では複数個のボール９を一側の回転軸９０で円板８上に立てて、この姿勢を壊さないようにしつつ、全てのボール９の他側の回転軸９０を次の円板８の凹部８０にうまくはめ込まなくてはならないために、効率的な製造には熟練と集中力とが要求され、これによってコスト高を招いていた。
【０００６】
従ってこの発明では、このような問題点を解決して、初心者でも容易に素早く組み立て作業が行なえ、コストを安くすることが出来るような、マッサージ器とその部品を提供することを課題とする。
【０００７】
【課題を解決するための手段及び作用】
上述した課題は、複数枚の回転板の各々相対する面にボールの球面と接触してボールを受け得る凹部が、回転板の外周部に沿って且つ回転板の外周部よりも外側にボールの外周部が出るように形成されたボール取付体とすることにより達成される。この凹部に前記ボールをはめ込んでボール取付体を有する回転体とするのである。さらにこの回転体をモータの回転軸に取り付けることにより、回転体を備えたマッサージ器具を構成する。
【０００８】
この発明では、複数枚の回転板は最初からすべて、所要の距離を空けてモータの回転軸に固定してしまってよい。この際にボールを受け得る凹部を揃えるようにする必要があるのは言うまでもない。
【０００９】
このようにしておき、前記凹部に前記ボールをはめ込むようにするのである。この凹部はボールの球面に接触してボールを受けることが出来、ボールは回転板に挟まれてこの凹部内に納まる。この際にボールは回転板の縁部を押し開くようにしてこの縁部を越えて前記凹部に納まるのである。なお、前記凹部に納まったボールは、その外周部が回転板の外周部よりも外側に出るため、身体に対しては回転板ではなくボールがマッサージ刺激を与えることになる。
【００１０】
従ってこの作業は誰にでも行なえる極めて容易な作業であると言うことが出来る。またこの結果コストが従来のものより安くなると言う効果を奏する。
【００１１】
なお特筆すべきは、ボールの自転運動に軸が存在しないことにより、ボールが全方向に回転可能と成っている点である。図１１で示した従来製品では、ボール９は回転軸９０を中心として自転運動を行なうものであるため、マッサージ器のこのボール９の部位を身体に当てたら暫くはその部位から動かさずにマッサージを行なうか、あるいは横方向（円板８の正逆回転方向）に往復させるようにして動かしつつマッサージを行なっていた。これに対しこの発明ではボールが全方向に自由に回転し得るため、上記従来製品での操作方向に加えて、縦方向（回転軸２１の方向）に往復させつつマッサージを行なったり、この縦方向に前記横方向の動きをミックスさせることなどが可能に成っている。マッサージ器を自由自在に動かせることは極めて気持ちの良いことである。
【００１２】
次に、前記凹部の半分未満の部位が前記回転板の外周部に掛かっているものとした。この構成によれば前記ボールを前記凹部にはめ込む作業がより容易に行なえると言う特長がある。すなわち前記回転板の外周部に掛かっている前記凹部の部位はそれ以外の部位と比べて前記凹部の縁部の高さが低いため、前記ボールが越えやすく成るからである。しかしながら高さが低いとは言え縁部が存在するため、前記ボールはここに掛かることになる。なお後述カバーが前記ボールを覆う構成の場合には、前記凹部の半分の部位が前記回転板の外周部に掛かっているものとすることが可能である。
【００１３】
次に、この発明のマッサージ器具に於いて、前記回転板が前記回転軸に対して非直角に取り付けられているものとした。前記回転板には回転板の外周部に沿ってボールが全方向に回転自在に取り付けられているが、回転板が回転軸に対して傾斜して取り付けられているために、回転板の周囲の位置によってはそこにはめ込まれているボールの、モータの回転軸方向での位置に違いが生ずる。すなわちモータの回転軸先端方向で回転するボールもあれば、モータに近い方向で回転するボールもある。従ってボール全体としては、波を打つような軌跡を描いて身体に接触しているような感覚を与えることが出来る。
【００１４】
次に、この発明のマッサージ器具に於いて、前記回転体に柔軟な素材から成るカバーが掛けられているものとした。この構成によれば前記ボールは前記カバーを介して身体に接触することに成る。従ってカバーを介したよりソフトな感触を身体に与えることが出来る。
【００１５】
次に、前記カバーの前記回転体に接触する部位が透明な素材で構成されているものとした。この構成によれば内部で回転している前記回転体殊には前記ボールを前記カバーを透して見ることが出来る。なお前記カバーの全体を透明な素材で構成してよいことは言うまでもない。
【００１６】
次に、この発明のマッサージ器具に於いて、このマッサージ器にバイブレータが設けられているものとした。バイブレータの一例を上げればモータの回転軸に重錘を偏心させて取り付けたものである。なおこのモータには電池とスイッチとが接続されている。モータをＯＮにして回転させると、回転軸に偏心させて取り付けた重錘から振動を発生する。従って前記回転体によるマッサージ作用の他にこのバイブレータの振動刺激によるマッサージ作用を生じて、相乗効果を上げることが出来るのである。
【００１７】
【発明の実施の形態】
以下この発明の実施形態を図面を参照しつつ説明するが、この発明はこれ等の実施形態に限定されるものではない。
【００１８】
第１実施形態
この実施形態を図１乃至図３を用いて説明する。図１はマッサージ器具の内部構造を表わす模式図であるが、ケース１にはモータ２と図示しない電池とが納められており、ケース１の底面部分にはスイッチ６が取り付けられている。モータ２と電池とスイッチ６とは直列に配線されている。またモータ２の回転軸はギヤボックス２０に接続されており、その出力は回転軸２１と成っている。この回転軸２１には軸と直角に３枚の円板３がほぼ等間隔にて取り付けられている。この間隔は後述するボール４の直径よりも僅かに小さい間隔である。而してこれ等の３枚の円板３の間に２層に、また回転軸２１回りに６個、合計１２個のボール４が挟持されている。これ等の円板３とボール４とでこの実施形態の回転体が構成されている。
【００１９】
前記ケース１には柔軟な素材から成るカバー５が被せられており、該カバー５は前記回転体から前記回転軸２１の先端部分までを覆っている。前記回転軸２１はその途中から緩やかにカーブした形状と成っており、この回転軸２１のカーブの形状に従って前記ケース１の外周面部より外側へせり出すようにされている。また前記回転体のボール４はこのカバー５に接して、カバー５を内側から外側へ押すように設けられている。従ってカバー５のこの部位に接触した身体はボール４の圧力や動作を感じ取ることが出来る。
【００２０】
ところで前記回転体を構成する円板３であるが、この底面図を図２で、平面図を図３で表わす。円板３の中心部には前記回転軸２１を通す軸孔３１が開孔されており、この軸孔３１の縁部から後述する周壁３４の直径分だけ外側に周壁３２が立設されており、その一部に切欠部３３が設けられている。また円板３の外周部付近の６回対称の位置に凹部３０が設けられている。一方この反対側の面には前記軸孔３１の縁部に沿って周壁３４が立設されており、その外側にはこの周壁３４よりも低いスペーサ３５が設けられており、その一部はスペーサ３５から軸方向に突出した突起３６とされている。また円板３のこの側の面の外周部付近の６回対称の位置にも凹部３０が設けられている。この凹部３０は、前記突起３６と前記切欠部３３との位置合わせをした時に、切欠部３３側の凹部３０と位置が合うように設けられている。この実施形態では３枚の円板３を、周壁３４を周壁３２内にはめ込むようにして且つ凹部３０に突起３６を填め合わせるようにして一体化している。外観的にはスペーサ３５と周壁３２とが突き合って１本の軸のように見える。このように組み合わせておき、後から円板３の間に、凹部３０に納まるようにボール４を押し込めば回転体が完成する。
【００２１】
なお前記カバー５を透明に成型すれば、外から内部構造を透視することが出来るように成る。またカバーの一部、例えば前記回転体の部位のみ透明とすれば、前記円板３やボール４の回転運動のみを透視させることが出来る。
【００２２】
前記スイッチ６をＯＮ状態にすると回転軸２１が回転を始め、前記ボール４の外周部が円板３の外周部よりも外側に出ているため、身体に対してはボール４がマッサージ刺激を与える。特にこのボール４には回転軸というものが存在しないため、ボール４が全方向に回転可能と成っており、身体に対していろいろな方向に動かし当て方を変えてマッサージを行なうことが可能と成っている。
【００２３】
また前記回転軸２１が回転すると、回転軸２１はその途中から緩やかにカーブした形状と成っているため、回転軸２１の先方は前記カバー５を内側から外側へ押しつつ回転する。従ってカバー５のこの部位を身体に当てることによっても、身体をマッサージすることが出来るのである。
【００２４】
第２実施形態
この実施形態を図４を用いて説明する。図４はこの実施形態の回転体の側面図であるが、上述した第１実施形態の円板３を６枚重ね合わせて、回転軸２１回りに６個、これを５層、合計３５個のボール４を挟持するようにして成る。このように前記円板３の特長は必要に応じて何層でも重ね合わせられる点にあり、これに応じて前記カバーを対応させればよく、バラエティーに富んだ製品群を提供することが出来る。
【００２５】
なおこれまでは円板３を用いて来たが、必ずしも円板でなくともよく、正多角形状のものや、これ等の形を崩したものなどが適宜利用可能である。また必ずしもいわゆる板状でなくてよい。
【００２６】
第３実施形態
この実施形態を図５及び図６を用いて説明するが、図５はこの実施形態の円板３７の底面図でありこれは円板の中でも中間部材であり、図６はこの実施形態の円板３９の平面図でありこれは円板の中でも端部部材である。円板３７の中心部には回転軸を通す軸孔３１が開孔されており、この軸孔３１の縁部から後述する周壁３４の直径分だけ外側に周壁３２が立設されており、その一部に切欠部３３が設けられている。また円板３７の外周部付近の６回対称の位置には凹部３８が設けられているが、この凹部３８はその円弧にして６０度分が円板３７の外縁部に掛かるように構成されている。従ってこの部位はそれ以外の部位と比べて前記凹部３８の縁部の高さが低いものと成っている。なおこの円板３７の底面で支持する６個のボール４と、円板３７の上面で支持する６個のボール４とでは３０度位置がずれるように、円板３７の上面に凹部３８が設けられている（図５中鎖線で表わした部分が上面の凹部３８である）。
【００２７】
一方前記円板３９の直径は前記円板３７と同一であり、円板３９の面には前記軸孔３１の縁部に沿って周壁３４が立設されており、その外側にはこの周壁３４よりも低いスペーサ３５が設けられており、その一部分はスペーサ３５から軸方向に突出した突起３６とされている。また円板３９のこの側の面の外周部付近の６回対称の位置にも凹部３００が設けられているが、前記円板３７側の凹部３８と同じ位置にあって掛けた部分のない完全な円形状を呈するように、凹部３００の部位だけ円板３９の外縁部を拡大して形成している点に特徴を有する。
【００２８】
従って前記円板３７と前記円板３９とを組み付けて前記ボール４を挿着しようとすると、前記凹部３８の縁部の高さが低く構成されているためボール４が入りやすい。また前記凹部３００は完全な円形状を呈しているため、ボール４が全方向に対して円滑に均一に回転することが出来る。またボール４が凹部３００から出にくいと言う傾向を生じている。
【００２９】
第４実施形態
図７はこの実施形態の回転体を側面方向から見た断面図であるが、両端の円板３０１はその中心部に設けた軸孔によって回転軸２１に通され、その間に２枚の円板３０２が中心部に設けた遊嵌孔３０９によって回転軸２１に緩く通されている。前記円板３０１にも円板３０２にも、ボール４を受ける部位には凹部３０が設けられており、ここにボール４を挿着した後に両端の円板３０１を回転軸２１に固定して成る。
【００３０】
前記円板３０２は前記回転軸２１に対して遊嵌孔３０９によって遊嵌されているため、その凹部３０でボール４を受けるだけの役割を担うものである。しかしながら円板３０２を回転軸２１に取り付けるのに手間が掛からないという特長がある。なおこの円板３０２を増設するだけでボール４の層数を増やしてやることが出来る。
【００３１】
第５実施形態
図８はこの実施形態の円板３０３の平面図であるが、大小２種類のボール４，４０を交互に計６個配設している点に特徴を有する。交互に配設された大きさの異なるボール４，４０の外周面の位置を合わせる必要があるために、ボール４，４０の取り付け位置すなわち凹部３０４を設ける位置を円板３０３の中心部から異なるものとしている。しかも何れの凹部３０４もその一部が円板３０３の外縁部よりも外側に位置させているため、各々飛び出した部位の縁部をカバーし得るように、ボール４を受ける凹部３０４に対しては外縁部３０５を、ボール４０を受ける凹部３０４に対しては外縁部３０６を各々形成している。
【００３２】
この実施形態では大小２種類のボール４，４０が交互に配設されておりボール４とボール４０とでは曲率が異なるため、身体に接触した時に当たりが異なって感じられる。しかもこれ等が回転しながら身体に接触するため、マッサージにもリズミカルな変化を加えることが出来るのである。
【００３３】
第６実施形態
この実施形態を図９を用いて説明する。図９はこのマッサージ器具の内部構造を表わす模式図であり、この実施形態のマッサージ器具はその主要な構成を上述した第１実施形態に倣うものであるが、前記ケース１に沿ってケース１から分岐した分岐ケース１０を備える点に特徴がある。すなわち前記ケース１の途中から分岐する分岐ケース１０が設けられており、この分岐ケース１０にはモータ７が納められており、このモータ７の回転軸７０に偏心重錘７１が固定されている。ここで言う偏心重錘とは、重錘が重量バランスを壊して回転軸７０に固定されたものを言い、このような偏心重錘７１を回転させるとモータの全体延いては分岐ケース１０やケース１にまで振動が伝わるのである。なお前記ケース１の底面部分には前記スイッチ６と共にスイッチ６０が取り付けられており、このスイッチ６０と図示しない電池とモータ７とが直列に配線されている。
【００３４】
さて、前記スイッチ６をＯＮ状態にした場合のボール４の動作は上述した第１実施形態のそれと同一であるが、前記スイッチ６０の側をＯＮ状態にした場合には前記モータ７が回転する。このモータ７が回転するとこのモータ７を覆う分岐ケース１０がバイブレーションを発生する。従ってこの分岐ケース１０の部位はバイブレータとしてのマッサージ器の役割を担うものである。
【００３５】
なお前記ケース１に電池が２個収納できるようにして、一方の電池はモータ２専用の駆動源として適宜配線し、他方の電池はモータ７専用の駆動源として適宜配線するような構成も可能である。
【００３６】
第７実施形態
図１０はこの実施形態の回転体を側面方向から見た断面図である。４枚の円板３０７は回転軸２１に対して傾斜して且つ互いに並行と成るように固定されており、ボール４を受ける部位には凹部３０８が設けられており、回転軸２１回りに８個、これを３層、合計２４個のボール４を挟持するようにして成る。同一の層に付いて、高い位置のボール４と低い位置のボール４とではボール直径の約半分の高低差が生じるように設計されている。
【００３７】
前記円板３０７には円板３０７の外周部に沿ってボール４が全方向に回転自在に取り付けられている。前記円板３０７が回転軸２１に対して傾斜して取り付けられているため、上述したように同一の層内に於いてボール４間に高低差が生じている。従ってボール全体としては波を打つような軌跡を描いて身体に接触しているように感じさせることが出来るのである。
【００３８】
なおこの発明は上述した実施形態に限定されないから、回転板やボールの素材や大きさの選択は任意であり、同一の層内に於いて外周部のボールの内側に別のボールを配設することも可能である。またマッサージ器具としては、実施形態で説明した回転軸２１の先端部の湾曲構成やこれに合わせたカバー５の構成などは必須ではない。またカバーそのものも必須ではなく、ボールが直接身体に接触し得るような構成も可能である。なおマッサージ器具に於ける電池をケース１とは別のケースに納めてコントローラとする構成も出来る。また電源には電池の他に家庭用電源から電力を得るための電源アダプターなどを利用してもよい。
【００３９】
【発明の効果】
以上、この発明は、複数枚の回転板の各々相対する面にボールの球面と接触してボールを受け得る凹部が、回転板の外周部に沿って且つ回転板の外周部よりも外側にボールの外周部が出るように形成されたボール取付体としたものである。またこのボール取付体の凹部に前記ボールをはめ込んで、ボール取付体を有する回転体としたものである。またさらにこの回転体をモータの回転軸に取り付けることによって、回転体を備えたマッサージ器具としたものである。回転体の組み立てには単にボールを回転板の凹部にはめ込むだけでよい。
【００４０】
この結果、初心者でも容易に素早く組み立て作業が行なえ、コストを安くすることが出来るようなマッサージ器とその部品を提供することが出来、所期の目的を達成している。
【図面の簡単な説明】
【図１】この発明の第１実施形態の内部模式図である。
【図２】同実施形態の回転板３の底面図である。
【図３】同実施形態の回転板３の平面図である。
【図４】この発明の第２実施形態の回転体の側面図である。
【図５】この発明の第３実施形態の回転板３７の底面図である。
【図６】同実施形態の回転板３９の平面図である。
【図７】この発明の第４実施形態の回転体の断面図である。
【図８】この発明の第５実施形態の回転板３０３の平面図である。
【図９】この発明の第６実施形態の内部模式図である。
【図１０】この発明の第７実施形態の回転体の断面図である。
【図１１】従来例の回転体の組み立て説明図である。
【符号の説明】
１    ケース
１０  分岐ケース
２    モータ
２０  ギヤボックス
２１  回転軸
３    円板
３０  凹部
３１  軸孔
３２  周壁
３３  切欠部
３４  周壁
３５  スペーサ
３６  突起
３７  円板
３８  凹部
３９  円板
３００凹部
３０１円板
３０２円板
３０３円板
３０４凹部
３０５外縁部
３０６外縁部
３０７円板
３０８凹部
３０９遊嵌孔
４    ボール
４０  ボール
５    カバー
６    スイッチ
６０  スイッチ
７    モータ
７０  回転軸
７１  偏心重錘
【図１】
2004329834.tif 000003
【図２】
2004329834.tif 000004
【図３】
2004329834.tif 000005
【図４】
2004329834.tif 000006
【図５】
2004329834.tif 000007
【図６】
2004329834.tif 000008
【図７】
2004329834.tif 000009
【図８】
2004329834.tif 000010
【図９】
2004329834.tif 000011
【図１０】
2004329834.tif 000012
【図１１】
2004329834.tif 000013